(57)【要約】【課題】  押さえピンの地中に入る１本の軸部分を波型にし、地中に押し込んだときに頭部を水平回転させることによって地中での抵抗を大きくしてピンの抜け易さを防止する農業用マルチシートの押さえピンを提供すること。【解決手段】  押さえピンの地中に入る１本の軸部分を波型にし、地中に押し込んだときに頭部を水平回転させることによって地中での抵抗を大きくしてピンの抜け易さを防止することを特徴とする。【選択図】        図２
2007082522.tif 000002
【特許請求の範囲】
【請求項１】
押さえピンの地中に入る１本の軸を波型形状にし、地中に押し込んだときに頭部を水平回転させることによって地中での抵抗を大きくしてピンの抜け易さを防止するようにしたことを特徴とする農業用マルチシートの押さえピン。
【請求項２】
押さえピンの地中に入る部分をＵ字型の２本の軸から成る二股状にし、地中での２本の軸の広がりによって地中での抵抗を大きくしてピンの抜け易さを防止することを特徴とする農業用マルチシートの押さえピン。
【発明の詳細な説明】
【技術分野】
【０００１】  本発明は、主として農業用マルチシートに使用される押さえピンに関するものである。
【発明の開示】
【発明が解決しようとする課題】
【０００２】  従来から地温上昇、防草などを目的として、培地や耕作地を被覆資材で被覆する方法は知られており、被覆資材としては、高分子樹脂フィルムや合成繊維を樹脂接着せしめた不織布等から成る農業用マルチシートが知られている。【０００３】  この農業用マルチシートを地表に張るために直線状の軸を有する押さえピンが従来から使用されているが、この押さえピンにあっては、地中に押し込まれる軸が直線状であるため、地中に押し込むときには抵抗がないため、簡単に地中に入るが、入り易いということは抜け易く、シートが風に飛ばされるおそれがあるという問題点があった。
【発明の目的】
【０００４】本発明の第１の目的は、押さえピンの地中に入る１本の軸部分を波型にし、地中に押し込んだときに頭部を水平回転させることによって地中での抵抗を大きくしてピンの抜け易さを防止する農業用マルチシートの押さえピンを提供することにある。
【０００５】本発明の第２の目的は、押さえピンの地中に入る部分をＵ字型の２本の軸から成る二股状にし、地中での２本の軸の広がりによって地中での抵抗を大きくしてピンの抜け易さを防止する農業用マルチシートの押さえピンを提供することにある。
【課題を解決するための手段】
【０００６】  本発明に係る第１の目的を達成するための請求項１に記載する農業用マルチシートの押さえピンは、押さえピンの地中に入る１本の軸を波型形状にし、地中に押し込んだときに頭部を水平回転させることによって地中での抵抗を大きくしてピンの抜け易さを防止するようにしたことを特徴とするものである。
【０００７】  本発明に係る第２の目的を達成するための請求項２に記載する農業用マルチシートの押さえピンは、押さえピンの地中に入る部分をＵ字型の２本の軸から成る二股状にし、地中での２本の軸の広がりによって地中での抵抗を大きくしてピンの抜け易さを防止することを特徴とするものである。
【発明の作用】
【０００８】  請求項１の発明では、押さえピンの地中に入る１本の軸部分を波型形状にしてあるので、地中に押し込んで頭部を水平回転させると、ピンの軸部分が水平回転して地中に押し込むときに形成される垂直の溝とは異なる水平の溝が地中で複数箇所形成され、この軸の波型部分と土壌との抵抗によって抜け止めがなされる。
【０００９】  請求項２の発明では、押さえピンの地中に入る部分をＵ字型の２本の軸から成る二股状にしてあるので、２本の軸を窄めた状態で地中に押し込むことにより地中で２本の軸が左右に拡がってこの２本の軸と土壌との抵抗によって抜け止めがなされる。
【実施例１】
【００１０】  図１は、請求項１の発明に係る農業用マルチシートの押さえピンの平面図、図２は、同正面図、図３は、同側面図、図４は、押さえピンを地中に押し込んで９０°水平回転させた状態の正面図、図５は、押さえピンの他の実施例を表わす正面図である。【００１１】  図において、１は、請求項１の発明に係る押さえピンであって、１本の金属線を折曲加工して軸２とシート押さえ用の頭部３を形成してある。【００１２】  尚、本実施例においては、シート押さえ用の頭部３を１本の金属線によって一体形成してあるが、図５のように頭部３を別体の合成樹脂等で成形した座金にしてもよいことは勿論である。【００１３】  軸２は、複数の頂点部分２−１を有する波型形状に成形してあり、頭部３は、円形で摘み部３−１が形成されている。【００１４】  請求項１の発明に係る押さえピン１は以上のような構成で、地面上に張った農業用マルチシートＳに上から軸２の先端を突き刺して地中に押し込んでやると、軸２に形成された最下端の波型の頂点部分２−１とこれに連なる部分が土壌Ｄを押し出しながら地中に侵入する。【００１５】  押さえピン１の軸２の波型の頂点部分２−１とこれに連なる部分が土壌Ｄを押し出しながら地中に侵入することによって土壌Ｄには垂直の扁平な溝が形成される。【００１６】  この状態で頭部３の摘み部３−１を持ってその侭引き上げてやると、土壌Ｄに最初に形成された垂直の扁平な溝を通って何等抵抗なく押さえピン１を抜くことができるが、軸部２を地中に押し込んだ後、摘み部３−１を握って水平回転（９０°回転が好ましい）させると、軸２の波型の複数の頂点部分２−１・・・２−１とこれに連なる部分が土壌Ｄを押し出すので、土壌Ｄには水平の溝が複数箇所形成されることになる。【００１７】  上記の摘み部３−１を握って水平回転（９０°回転が好ましい）させた状態にあっては、軸２の波型の複数の頂点部分２−１・・・２−１とこれに連なる部分の上の部分には土壌が詰まっているので、摘み部３−１を握って押さえピン１を引き抜こうとしても土壌の抵抗によって極めて大きな力を必要とし、農業用マルチシートＳが風に煽られたて程度の力では頭部３に押さえられて剥がされるようなことがないものである。【００１８】  農業用マルチシートＳを剥がすときには、摘み部３−１を握って押さえピン１を元の地中に押し込んだ状態に戻して引き上げてやれば簡単に押さえピン１を引き抜くことができるものである。
【実施例２】
【００１９】  図６は、請求項２の発明に係る農業用マルチシートの押さえピンの平面図、図７は、同正面図、図８は、同側面図、図９は、押さえピンを地中に押し込んだ状態の正面図である。【００２０】  図において、４は、請求項２の発明に係る押さえピンであって、１本の弾性を有する金属線をＵ字状に折曲加工して２本の軸５、５から成る二股状にしたものである。【００２１】  この２本の軸５、５は、直線状であってもよいが、請求項１の発明のように複数の頂点部分５−１を有する波型形状に成形しておいてもよく、また、この２本の軸５、５は、シート押さえ用の座金６に形成された２個の孔にそれぞれ通して一体化してあり、軸５、５の交差部を握り部５−２としてある。【００２２】  請求項２の発明に係る押さえピン４は以上のような構成で、地面上に張った農業用マルチシートＳに上から軸５、５同士を内側に寄せるように窄めた状態で軸５、５の先端を突き刺して地中に押し込んでやると、地中で軸５、５は左右に拡がり、握り部５−１を握って押さえピン４を引き抜こうとしても土壌の抵抗によって極めて大きな力を必要とし、農業用マルチシートＳが風に煽られたて程度の力では座金６に押さえられて剥がされるようなことがないものである。
【発明の効果】
【００２３】  以上述べたように、請求項１の発明に係る農業用マルチシートの押さえピンによれば、押さえピンの地中に入る１本の軸部分を波型形状にしてあるので、地中に押し込んで頭部を水平回転させると、ピンの軸部分が水平回転して地中に押し込むときに形成される垂直の溝とは異なる水平の溝が地中で複数箇所形成され、この軸の波型部分と土壌との抵抗によって抜け止めがなされ、農業用マルチシートＳが風に煽られたて程度の力では剥がされるようなことがないものである。
【００２４】  また、請求項２の発明に係る農業用マルチシートの押さえピンによれば、押さえピンの地中に入る部分をＵ字型の２本の軸から成る二股状にしてあるので、２本の軸を窄めた状態で地中に押し込むことにより地中で２本の軸が左右に拡がってこの２本の軸と土壌との抵抗によって抜け止めがなされ、農業用マルチシートＳが風に煽られたて程度の力では剥がされるようなことがないものである。
【００２５】  尚、請求項２の発明に係る農業用マルチシートの押さえピンにおいて、軸を複数の頂点部分を有する波型形状に成形しておけば、更に土壌との抵抗が増加して抜け止め効果が増大するものである。
【００２６】  また、請求項１、２の発明に係る農業用マルチシートの押さえピンの用途は、農業用マルチシートを張ることに使用されるだけに限らずテントを張るときの支持紐を引張するときに使用される杭としてもよいものであることは勿論である。
【図面の簡単な説明】
【００２７】
【図１】  請求項１の発明に係る農業用マルチシートの押さえピンの平面図である。
【図２】  同正面図である。
【図３】  同側面図である。
【図４】  押さえピンを地中に押し込んで９０°水平回転させた状態の正面図である。
【図５】  押さえピンの他の実施例を表わす正面図である。
【図６】  請求項１の発明に係る農業用マルチシートの押さえピンの平面図である。
【図７】  同正面図である。
【図８】  同側面図である。
【図９】  押さえピンを地中に押し込んだ状態の正面図である。
【符号の説明】
【００２８】    １          押さえピン
２          軸部
３          頭部
４          押さえピン
【図１】
2007082522.tif 000003
【図２】
2007082522.tif 000004
【図３】
2007082522.tif 000005
【図４】
2007082522.tif 000006
【図５】
2007082522.tif 000007
【図６】
2007082522.tif 000008
【図７】
2007082522.tif 000009
【図８】
2007082522.tif 000010
【図９】
2007082522.tif 000011